(57)【要約】【課題】本発明は観賞用ランプを開示した。【解決手段】円柱体と円錐台とベースを含み、前記円柱体が前記ベースの頂端に固定的に設置され、前記円柱体の中には中部チャンバが設置され、前記中部チャンバの左右両側はいずれも開いたように設計されており、前記中部チャンバの中には灯光を反射できる反射鏡機構が設置され、前記円錐台が前記円柱体の頂端に固定されており、前記円錐台の直径は前記円錐台の直径より小さく、前記円錐台の頂端には左右対称である二組の枝状支持ロッドが固定的に設置され、前記枝状支持ロッドが曲がった状態であり、前記円錐台の頂端には円柱ブロックが固定的に設置される。【選択図】図１
2020174030.tif 000002
【特許請求の範囲】
【請求項１】
円柱体と円錐台とベースを含み、前記円柱体が前記ベースの頂端に固定的に設置され、前記円柱体の中には中部チャンバが設置され、前記中部チャンバの左右両側はいずれも開いたように設計されており、前記中部チャンバの中には灯光を反射できる反射鏡機構が設置され、前記円錐台が前記円柱体の頂端に固定されており、前記円錐台の直径は前記円錐台の直径より小さく、前記円錐台の頂端には左右対称である二組の枝状支持ロッドが固定的に設置され、前記枝状支持ロッドが曲がった状態であり、前記円錐台の頂端には円柱ブロックが固定的に設置され、前記円柱ブロックの頂部端面にはスライドチャンバが設置され、前記スライドチャンバの中には花蕊機構が設置され、前記反射鏡機構は前記中部チャンバの底壁に固定的に設置されている二組の固定ロッドを含み、前記固定ロッドが左右対称的に設置され、前記固定ロッドの頂端にはいずれも反射鏡がヒンジで連結され、二組の前記固定ロッドの間の前記中部チャンバの中には上下に伸びているスクリュー軸が回転できるように設置され、前記スクリュー軸の頂部延伸部分が前記スライドチャンバの中に伸びており、前記スクリュー軸の外周には第一ベベルギアが固定的に設置され、前記第一ベベルギアの頂部の前記スクリュー軸の外周には第一ねじ山ブロックがねじ山により係合連結され、前記第一ねじ山ブロックの左右両端が連動ロッドにより前記反射鏡とヒンジで連結され、左側に位置している前記固定ロッドの片側端面には固定ブロックが固定的に設置され、前記固定ブロックの中には第一モータが固定的に嵌められており、前記第一モータの右端には第二ベベルギアが動力が伝達できるように連結され、前記第二ベベルギアと前記第一ベベルギアとが噛み合っており、前記スクリュー軸の中には上下に伸びて設置されている動力軸が隙間嵌めされており、前記動力軸の頂端の一部はスプライン軸に設計されており、前記動力軸の底端と前記ベースの中に固定的に嵌められている第二モータとは動力が伝達できるように連結されていることを特徴とする観賞用ランプ。
【請求項２】
前記枝状支持ロッドにはいずれも木の股が固定的に設置され、前記枝状支持ロッドにはまた水晶リーフが固定的に設置され、且つ前記木の股と前記水晶リーフとの色は異なり、前記枝状支持ロッドの一端にはランプが固定的に設置されていることを特徴とする請求項１に記載の観賞用ランプ。
【請求項３】
前記花蕊機構は前記スライドチャンバの中にスライドできるように設置されている第二ねじ山ブロックを含み、前記第二ねじ山ブロックの頂端にはネジスリーブが固定的に設置され、前記ネジスリーブが円形であり、前記第二ねじ山ブロックと前記ネジスリーブとはいずれも前記スクリュー軸とねじ山により係合連結され、前記ネジスリーブの外周には滑り軸受が回転できるように設置され、前記動力軸が前記スクリュー軸を貫通しており、且つ前記動力軸の一番上には旋転ブロックが固定的に設置され、前記旋転ブロックの頂端には半球状装飾品が固定的に設置され、前記滑り軸受の頂端には回転盤が固定的に設置され、前記回転盤と前記動力軸とがスプラインにより係合連結され、前記滑り軸受の左右両側にはいずれも水晶片が設置され、二組の前記水晶片の間が空きチャンバを形成し、前記旋転ブロックが前記空きチャンバの中に設置されており、前記水晶片の底端にはいずれも曲りなり板が固定的に設置され、前記曲りなり板と前記滑り軸受とがヒンジで連結され、前記曲りなり板の中にはいずれもスライド溝が設置され、前記旋転ブロックの底端には左右対称である二組の固定板が固定的に設置され、前記固定板の前側端面にはいずれもヒンジピンが固定的に設置され、前記ヒンジピンが前記スライド溝の中に挿入されており、且つ前記スライド溝とスライドできるように連結されていることを特徴とする請求項１に記載の観賞用ランプ。
【発明の詳細な説明】
【技術分野】
【０００１】
本発明は照明器具技術分野に関わり、具体的には観賞用ランプである。
【背景技術】
【０００２】
今、市販されている大部分の観賞用ランプは一つの光源で照明し、又は明かりの色を変えることによりランプの美観性を高めるのであり、しかしこのように伝統的な観賞用ランプの観賞価値はあまり高くなく、且つその構成が比較的に簡単且つ単一であり、観賞効果が良くないため、普及しづらい。
【先行技術文献】
【特許文献】
【０００３】
【特許文献１】中国特許出願公開第１０８７１６６１６号明細書
【発明の概要】
【発明が解決しようとする課題】
【０００４】
本発明は観賞用ランプを提供し、上記技術にある欠点を解消することを目的とする。
【課題を解決するための手段】
【０００５】
本発明の観賞用ランプは、円柱体と円錐台とベースを含み、前記円柱体が前記ベースの頂端に固定的に設置され、前記円柱体の中には中部チャンバが設置され、前記中部チャンバの左右両側はいずれも開いたように設計されており、前記中部チャンバの中には灯光を反射できる反射鏡機構が設置され、前記円錐台が前記円柱体の頂端に固定されており、前記円錐台の直径は前記円錐台の直径より小さく、前記円錐台の頂端には左右対称である二組の枝状支持ロッドが固定的に設置され、前記枝状支持ロッドが曲がった状態であり、前記円錐台の頂端には円柱ブロックが固定的に設置され、前記円柱ブロックの頂部端面にはスライドチャンバが設置され、前記スライドチャンバの中には花蕊機構が設置され、前記反射鏡機構は前記中部チャンバの底壁に固定的に設置されている二組の固定ロッドを含み、前記固定ロッドが左右対称的に設置され、前記固定ロッドの頂端にはいずれも反射鏡がヒンジで連結され、二組の前記固定ロッドの間の前記中部チャンバの中には上下に伸びているスクリュー軸が回転できるように設置され、前記スクリュー軸の頂部延伸部分が前記スライドチャンバの中に伸びており、前記スクリュー軸の外周には第一ベベルギアが固定的に設置され、前記第一ベベルギアの頂部の前記スクリュー軸の外周には第一ねじ山ブロックがねじ山により係合連結され、前記第一ねじ山ブロックの左右両端が連動ロッドにより前記反射鏡とヒンジで連結され、左側に位置している前記固定ロッドの片側端面には固定ブロックが固定的に設置され、前記固定ブロックの中には第一モータが固定的に嵌められており、前記第一モータの右端には第二ベベルギアが動力が伝達できるように連結され、前記第二ベベルギアと前記第一ベベルギアとが噛み合っており、前記スクリュー軸の中には上下に伸びて設置されている動力軸が隙間嵌めされており、前記動力軸の頂端の一部はスプライン軸に設計されており、前記動力軸の底端と前記ベースの中に固定的に嵌められている第二モータとは動力が伝達できるように連結されている。
【０００６】
さらなる技術プランには、前記枝状支持ロッドにはいずれも木の股が固定的に設置され、前記枝状支持ロッドにはまた水晶リーフが固定的に設置され、且つ前記木の股と前記水晶リーフとの色は異なり、前記枝状支持ロッドの一端にはランプが固定的に設置されている。
【０００７】
さらなる技術プランには、前記花蕊機構は前記スライドチャンバの中にスライドできるように設置されている第二ねじ山ブロックを含み、前記第二ねじ山ブロックの頂端にはネジスリーブが固定的に設置され、前記ネジスリーブが円形であり、前記第二ねじ山ブロックと前記ネジスリーブとはいずれも前記スクリュー軸とねじ山により係合連結され、前記ネジスリーブの外周には滑り軸受が回転できるように設置され、前記動力軸が前記スクリュー軸を貫通しており、且つ前記動力軸の一番上には旋転ブロックが固定的に設置され、前記旋転ブロックの頂端には半球状装飾品が固定的に設置され、前記滑り軸受の頂端には回転盤が固定的に設置され、前記回転盤と前記動力軸とがスプラインにより係合連結され、前記滑り軸受の左右両側にはいずれも水晶片が設置され、二組の前記水晶片の間が空きチャンバを形成し、前記旋転ブロックが前記空きチャンバの中に設置されており、前記水晶片の底端にはいずれも曲りなり板が固定的に設置され、前記曲りなり板と前記滑り軸受とがヒンジで連結され、前記曲りなり板の中にはいずれもスライド溝が設置され、前記旋転ブロックの底端には左右対称である二組の固定板が固定的に設置され、前記固定板の前側端面にはいずれもヒンジピンが固定的に設置され、前記ヒンジピンが前記スライド溝の中に挿入されており、且つ前記スライド溝とスライドできるように連結されている。
【０００８】
初期状態の時、反射鏡が中部チャンバの中に収納されており、同時に第二ねじ山ブロックが最大限で一番下に位置しており、水晶片を閉じた状態にさせ、
使用する時、まず第二モータを制御して作動させ、それにより動力軸が回転し、更に動力軸が旋転ブロックを回転連動させ、旋転ブロックが固定板を回転連動させ、同時に回転盤と動力軸の頂部部分とはスプラインにより連結されているため、動力軸が回転盤を回転連動させ、それにより滑り軸受が回転し、更にそれにより水晶片が回転でき、この時に第一モータの間欠的な正方向と逆方向への回転を制御することににより、第二ベベルギアが第一ベベルギアを間欠的に正方向と逆方向へ回転連動させ、それによりスクリュー軸が回転し、スクリュー軸が第一ねじ山ブロックとねじ山によって係合され、それにより第一ねじ山ブロックが上又は下へスライドでき、更にそれにより反射鏡が揺れ動け、この時にランプをつけ、ランプのライトが反射鏡に当たり、反射鏡によりライトが反射され、それによりライトがちらちらと光り、同時にライトが水晶リーフと木の股とに反射されて美観性を向上させることができ、スクリュー軸が第二ねじ山ブロックとネジスリーブとを連動させて間欠的に上下へスライドさせ、それにより滑り軸受が上下にスライドし、この時に水晶片は回転すると同時に間欠的に開けられ又は閉じられることができ、美観性を向上させる。
【発明の効果】
【０００９】
本発明の有益な効果は：伝統的な観賞用ランプと比べては、本発明の水晶片は回転すると同時に間欠的に開けられ又は閉じられることができ、反射鏡の揺れ動きにより、明かりがちらちらと光り、美観性を向上させることができ、且つ本装置の設計が巧妙であり、普及する価値がある。
【図面の簡単な説明】
【００１０】
【図１】図１は本発明の観賞用ランプの内部全体構成模式図
【図２】図２は本発明の中の旋転ブロックの一部分の拡大模式図
【図３】図３は本発明の図２の中のＡの局部拡大模式図
【図４】図４は本発明の中の水晶片の模式図
【発明を実施するための形態】
【００１１】
次にに図１−４を交えて本発明について詳しく説明する。便利に叙述するために、後文に出る方位を下記の通りに規定する：後文に出る上下左右前後方向は図１本体の投影関係の上下左右前後方向と一致する。
【００１２】
図１−４を参照し、本発明の観賞用ランプは、円柱体１０と円錐台１１とベース２２を含み、前記円柱体１０が前記ベース２２の頂端に固定的に設置され、前記円柱体１０の中には中部チャンバ２４が設置され、前記中部チャンバ２４の左右両側はいずれも開いたように設計されており、前記中部チャンバ２４の中には灯光を反射できる反射鏡機構７２が設置され、前記円錐台１１が前記円柱体１０の頂端に固定されており、前記円錐台１１の直径は前記円錐台１０の直径より小さく、前記円錐台１１の頂端には左右対称である二組の枝状支持ロッド１３が固定的に設置され、前記枝状支持ロッド１３が曲がった状態であり、前記円錐台１１の頂端には円柱ブロック１６が固定的に設置され、前記円柱ブロック１６の頂部端面にはスライドチャンバ２０が設置され、前記スライドチャンバ２０の中には花蕊機構７１が設置され、前記反射鏡機構７２は前記中部チャンバ２４の底壁に固定的に設置されている二組の固定ロッド２５を含み、前記固定ロッド２５が左右対称的に設置され、前記固定ロッド２５の頂端にはいずれも反射鏡２３がヒンジで連結され、二組の前記固定ロッド２５の間の前記中部チャンバ２４の中には上下に伸びているスクリュー軸３３が回転できるように設置され、前記スクリュー軸３３の頂部延伸部分が前記スライドチャンバ２０の中に伸びており、前記スクリュー軸３３の外周には第一ベベルギア３０が固定的に設置され、前記第一ベベルギア３０の頂部の前記スクリュー軸３３の外周には第一ねじ山ブロック３２がねじ山により係合連結され、前記第一ねじ山ブロック３２の左右両端が連動ロッド３１により前記反射鏡２３とヒンジで連結され、左側に位置している前記固定ロッド２５の片側端面には固定ブロック２７が固定的に設置され、前記固定ブロック２７の中には第一モータ２８が固定的に嵌められており、前記第一モータ２８の右端には第二ベベルギア２９が動力が伝達できるように連結され、前記第二ベベルギア２９と前記第一ベベルギア３０とが噛み合っており、前記スクリュー軸３３の中には上下に伸びて設置されている動力軸３４が隙間嵌めされており、前記動力軸３４の頂端の一部はスプライン軸に設計されており、前記動力軸３４の底端と前記ベース２２の中に固定的に嵌められている第二モータ２６とは動力が伝達できるように連結され、前記第一モータ２８を制御して間欠的に正方向と逆方向に回転させることにより、第二ベベルギア２９が第一ベベルギア３０を回転連動させ、それにより第一ねじ山ブロック３２が上下にスライドでき、それにより反射鏡２３が揺れ動き、ライトを反射する。
【００１３】
前記枝状支持ロッド１３にはいずれも木の股１４が固定的に設置され、前記枝状支持ロッド１３にはまた水晶リーフ１２が固定的に設置され、且つ前記木の股１４と前記水晶リーフ１２との色は異なり、前記枝状支持ロッド１３の一端にはランプ１５が固定的に設置され、前記ランプ１５により放たれたライトは前記反射鏡２３に射して反射を行う。
【００１４】
前記花蕊機構７１は前記スライドチャンバ２０の中にスライドできるように設置されている第二ねじ山ブロック３５を含み、前記第二ねじ山ブロック３５の頂端にはネジスリーブ３６が固定的に設置され、前記ネジスリーブ３６が円形であり、前記第二ねじ山ブロック３５と前記ネジスリーブ３６とはいずれも前記スクリュー軸３３とねじ山により係合連結され、前記ネジスリーブ３６の外周には滑り軸受３７が回転できるように設置され、前記動力軸３４が前記スクリュー軸３３を貫通しており、且つ前記動力軸３４の一番上には旋転ブロック１８が固定的に設置され、前記旋転ブロック１８の頂端には半球状装飾品４３が固定的に設置され、前記滑り軸受３７の頂端には回転盤４２が固定的に設置され、前記回転盤４２と前記動力軸３４とがスプラインにより係合連結され、前記滑り軸受３７の左右両側にはいずれも水晶片１７が設置され、二組の前記水晶片１７の間が空きチャンバ１９を形成し、前記旋転ブロック１８が前記空きチャンバ１９の中に設置されており、前記水晶片１７の底端にはいずれも曲りなり板４０が固定的に設置され、前記曲りなり板４０と前記滑り軸受３７とがヒンジで連結され、前記曲りなり板４０の中にはいずれもスライド溝３８が設置され、前記旋転ブロック１８の底端には左右対称である二組の固定板２１が固定的に設置され、前記固定板２１の前側端面にはいずれもヒンジピン３９が固定的に設置され、前記ヒンジピン３９が前記スライド溝３８の中に挿入されており、且つ前記スライド溝３８とスライドできるように連結され、前記第二モータ２６を制御して作動させることにより、前記動力軸３４が回転し、更に前記旋転ブロック１８が回転し、同時に前記動力軸３４が前記回転盤４２を回転連動させ、それにより前記滑り軸受３７が回転し、更に前記水晶片１７が回転することができ、同時に、前記第一モータ２８が間欠的に正方向と逆方向へ回転し、それにより前記スクリュー軸３３が間欠的に正方向と逆方向に回転し、更に前記第二ねじ山ブロック３５が上下にスライドでき、更に前記水晶片１７は間欠的に開閉されることができる。
【００１５】
初期状態の時、反射鏡２３が中部チャンバ２４の中に収納されており、同時に第二ねじ山ブロック３５が最大限で一番下に位置しており、水晶片１７を閉じた状態にさせる。
【００１６】
使用する時、まず第二モータ２６を制御して作動させ、それにより動力軸３４が回転し、更に動力軸３４が旋転ブロック１８を回転連動させ、旋転ブロック１８が固定板２１を回転連動させ、同時に回転盤４２と動力軸３４の頂部部分とはスプラインにより連結されているため、動力軸３４が回転盤４２を回転連動させ、それにより滑り軸受３７が回転し、更にそれにより水晶片１７が回転でき、この時に第一モータ２８の間欠的な正方向と逆方向への回転を制御することににより、第二ベベルギア２９が第一ベベルギア３０を間欠的に正方向と逆方向へ回転連動させ、それによりスクリュー軸３３が回転し、スクリュー軸３３が第一ねじ山ブロック３２とねじ山によって係合され、それにより第一ねじ山ブロック３２が上又は下へスライドでき、更にそれにより反射鏡２３が揺れ動け、この時にランプ１５をつけ、ランプ１５のライトが反射鏡２３に当たり、反射鏡２３によりライトが反射され、それによりライトがちらちらと光り、同時にライトが水晶リーフ１２と木の股１４とに反射されて美観性を向上させることができ、スクリュー軸３７が第二ねじ山ブロック３５とネジスリーブ３６とを連動させて間欠的に上下へスライドさせ、それにより滑り軸受３７が上下にスライドし、この時に水晶片１７は回転すると同時に間欠的に開けられ又は閉じられることができ、美観性を向上させる。
【００１７】
本発明の有益な効果は：伝統的な観賞用ランプと比べては、本発明の水晶片は回転すると同時に間欠的に開けられ又は閉じられることができ、反射鏡の揺れ動きにより、明かりがちらちらと光り、美観性を向上させることができ、且つ本装置の設計が巧妙であり、普及する価値がある。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020174030.tif 000003
【図２】
2020174030.tif 000004
【図３】
2020174030.tif 000005
【図４】
2020174030.tif 000006
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
円柱体と円錐台とベースを含み、前記円柱体が前記ベースの頂端に固定的に設置され、前記円柱体の中には中部チャンバが設置され、前記中部チャンバの左右両側はいずれも開いたように設計されており、前記円錐台が前記円柱体の頂端に固定されており、前記円錐台の直径は前記円柱体の直径より小さく、前記円錐台の頂端には左右対称である二組の枝状支持ロッドが固定的に設置され、前記枝状支持ロッドが曲がった状態であり、前記円錐台の頂端には円柱ブロックが固定的に設置され、前記円柱ブロックの頂部端面にはスライドチャンバが設置され、前記スライドチャンバの中には花蕊機構が設置され、前記反射鏡機構は前記中部チャンバの底壁に固定的に設置されている二組の固定ロッドを含み、前記固定ロッドが左右対称的に設置され、前記固定ロッドの頂端にはいずれも反射鏡がヒンジで連結され、二組の前記固定ロッドの間の前記中部チャンバの中には上下に伸びているスクリュー軸が回転できるように設置され、前記スクリュー軸の頂部延伸部分が前記スライドチャンバの中に伸びており、前記スクリュー軸の外周には第一ベベルギアが固定的に設置され、前記第一ベベルギアの頂部の前記スクリュー軸の外周には第一ねじ山ブロックがねじ山により係合連結され、前記第一ねじ山ブロックの左右両端が連動ロッドにより前記反射鏡とヒンジで連結され、左側に位置している前記固定ロッドの片側端面には固定ブロックが固定的に設置され、前記固定ブロックの中には第一モータが固定的に嵌められており、前記第一モータの右端には第二ベベルギアが動力が伝達できるように連結され、前記第二ベベルギアと前記第一ベベルギアとが噛み合っており、前記スクリュー軸の中には上下に伸びて設置されている動力軸が隙間嵌めされており、前記動力軸の頂端の一部はスプライン軸に設計されており、前記動力軸の底端と前記ベースの中に固定的に嵌められている第二モータとは動力が伝達できるように連結されており、
前記枝状支持ロッドにはいずれも木の股が固定的に設置され、前記枝状支持ロッドにはまた水晶リーフが固定的に設置され、且つ前記木の股と前記水晶リーフとの色は異なり、前記枝状支持ロッドの一端にはランプが固定的に設置され、前記中部チャンバの中には灯光を反射できる反射鏡機構が設置されており、
前記花蕊機構は前記スライドチャンバの中にスライドできるように設置されている第二ねじ山ブロックを含み、前記第二ねじ山ブロックの頂端にはネジスリーブが固定的に設置され、前記ネジスリーブが円形であり、前記第二ねじ山ブロックと前記ネジスリーブとはいずれも前記スクリュー軸とねじ山により係合連結され、前記ネジスリーブの外周には滑り軸受が回転できるように設置され、前記動力軸が前記スクリュー軸を貫通しており、且つ前記動力軸の一番上には旋転ブロックが固定的に設置され、前記旋転ブロックの頂端には半球状装飾品が固定的に設置され、前記滑り軸受の頂端には回転盤が固定的に設置され、前記回転盤と前記動力軸とがスプラインにより係合連結され、前記滑り軸受の左右両側にはいずれも水晶片が設置され、二組の前記水晶片の間が空きチャンバを形成し、前記旋転ブロックが前記空きチャンバの中に設置されており、前記水晶片の底端にはいずれも曲りなり板が固定的に設置され、前記曲りなり板と前記滑り軸受とがヒンジで連結され、前記曲りなり板の中にはいずれもスライド溝が設置され、前記旋転ブロックの底端には左右対称である二組の固定板が固定的に設置され、前記固定板の前側端面にはいずれもヒンジピンが固定的に設置され、前記ヒンジピンが前記スライド溝の中に挿入されており、且つ前記スライド溝とスライドできるように連結されていることを特徴とする観賞用ランプ。
【手続補正２】
【補正対象書類名】明細書
【補正対象項目名】全文
【補正方法】変更
【補正の内容】
【発明の詳細な説明】
【技術分野】
【０００１】
本発明は照明器具技術分野に関わり、具体的には観賞用ランプである。
【背景技術】
【０００２】
今、市販されている大部分の観賞用ランプは一つの光源で照明し、又は明かりの色を変えることによりランプの美観性を高めるのであり、しかしこのように伝統的な観賞用ランプの観賞価値はあまり高くなく、且つその構成が比較的に簡単且つ単一であり、観賞効果が良くないため、普及しづらい。
【先行技術文献】
【特許文献】
【０００３】
【特許文献１】中国特許出願公開第１０８７１６６１６号明細書
【発明の概要】
【発明が解決しようとする課題】
【０００４】
本発明は観賞用ランプを提供し、上記技術にある欠点を解消することを目的とする。
【課題を解決するための手段】
【０００５】
本発明の観賞用ランプは、円柱体と円錐台とベースを含み、前記円柱体が前記ベースの頂端に固定的に設置され、前記円柱体の中には中部チャンバが設置され、前記中部チャンバの左右両側はいずれも開いたように設計されており、前記円錐台が前記円柱体の頂端に固定されており、前記円錐台の直径は前記円柱体の直径より小さく、前記円錐台の頂端には左右対称である二組の枝状支持ロッドが固定的に設置され、前記枝状支持ロッドが曲がった状態であり、前記円錐台の頂端には円柱ブロックが固定的に設置され、前記円柱ブロックの頂部端面にはスライドチャンバが設置され、前記スライドチャンバの中には花蕊機構が設置され、前記反射鏡機構は前記中部チャンバの底壁に固定的に設置されている二組の固定ロッドを含み、前記固定ロッドが左右対称的に設置され、前記固定ロッドの頂端にはいずれも反射鏡がヒンジで連結され、二組の前記固定ロッドの間の前記中部チャンバの中には上下に伸びているスクリュー軸が回転できるように設置され、前記スクリュー軸の頂部延伸部分が前記スライドチャンバの中に伸びており、前記スクリュー軸の外周には第一ベベルギアが固定的に設置され、前記第一ベベルギアの頂部の前記スクリュー軸の外周には第一ねじ山ブロックがねじ山により係合連結され、前記第一ねじ山ブロックの左右両端が連動ロッドにより前記反射鏡とヒンジで連結され、左側に位置している前記固定ロッドの片側端面には固定ブロックが固定的に設置され、前記固定ブロックの中には第一モータが固定的に嵌められており、前記第一モータの右端には第二ベベルギアが動力が伝達できるように連結され、前記第二ベベルギアと前記第一ベベルギアとが噛み合っており、前記スクリュー軸の中には上下に伸びて設置されている動力軸が隙間嵌めされており、前記動力軸の頂端の一部はスプライン軸に設計されており、前記動力軸の底端と前記ベースの中に固定的に嵌められている第二モータとは動力が伝達できるように連結されている。
【０００６】
さらなる技術プランには、前記枝状支持ロッドにはいずれも木の股が固定的に設置され、前記枝状支持ロッドにはまた水晶リーフが固定的に設置され、且つ前記木の股と前記水晶リーフとの色は異なり、前記枝状支持ロッドの一端にはランプが固定的に設置され、前記中部チャンバの中には灯光を反射できる反射鏡機構が設置されている。
【０００７】
さらなる技術プランには、前記花蕊機構は前記スライドチャンバの中にスライドできるように設置されている第二ねじ山ブロックを含み、前記第二ねじ山ブロックの頂端にはネジスリーブが固定的に設置され、前記ネジスリーブが円形であり、前記第二ねじ山ブロックと前記ネジスリーブとはいずれも前記スクリュー軸とねじ山により係合連結され、前記ネジスリーブの外周には滑り軸受が回転できるように設置され、前記動力軸が前記スクリュー軸を貫通しており、且つ前記動力軸の一番上には旋転ブロックが固定的に設置され、前記旋転ブロックの頂端には半球状装飾品が固定的に設置され、前記滑り軸受の頂端には回転盤が固定的に設置され、前記回転盤と前記動力軸とがスプラインにより係合連結され、前記滑り軸受の左右両側にはいずれも水晶片が設置され、二組の前記水晶片の間が空きチャンバを形成し、前記旋転ブロックが前記空きチャンバの中に設置されており、前記水晶片の底端にはいずれも曲りなり板が固定的に設置され、前記曲りなり板と前記滑り軸受とがヒンジで連結され、前記曲りなり板の中にはいずれもスライド溝が設置され、前記旋転ブロックの底端には左右対称である二組の固定板が固定的に設置され、前記固定板の前側端面にはいずれもヒンジピンが固定的に設置され、前記ヒンジピンが前記スライド溝の中に挿入されており、且つ前記スライド溝とスライドできるように連結されている。
【０００８】
初期状態の時、反射鏡が中部チャンバの中に収納されており、同時に第二ねじ山ブロックが最大限で一番下に位置しており、水晶片を閉じた状態にさせ、
使用する時、まず第二モータを制御して作動させ、それにより動力軸が回転し、更に動力軸が旋転ブロックを回転連動させ、旋転ブロックが固定板を回転連動させ、同時に回転盤と動力軸の頂部部分とはスプラインにより連結されているため、動力軸が回転盤を回転連動させ、それにより滑り軸受が回転し、更にそれにより水晶片が回転でき、この時に第一モータの間欠的な正方向と逆方向への回転を制御することににより、第二ベベルギアが第一ベベルギアを間欠的に正方向と逆方向へ回転連動させ、それによりスクリュー軸が回転し、スクリュー軸が第一ねじ山ブロックとねじ山によって係合され、それにより第一ねじ山ブロックが上又は下へスライドでき、更にそれにより反射鏡が揺れ動け、この時にランプをつけ、ランプのライトが反射鏡に当たり、反射鏡によりライトが反射され、それによりライトがちらちらと光り、同時にライトが水晶リーフと木の股とに反射されて美観性を向上させることができ、スクリュー軸が第二ねじ山ブロックとネジスリーブとを連動させて間欠的に上下へスライドさせ、それにより滑り軸受が上下にスライドし、この時に水晶片は回転すると同時に間欠的に開けられ又は閉じられることができ、美観性を向上させる。
【発明の効果】
【０００９】
本発明の有益な効果は：伝統的な観賞用ランプと比べては、本発明の水晶片は回転すると同時に間欠的に開けられ又は閉じられることができ、反射鏡の揺れ動きにより、明かりがちらちらと光り、美観性を向上させることができ、且つ本装置の設計が巧妙であり、普及する価値がある。
【図面の簡単な説明】
【００１０】
【図１】図１は本発明の観賞用ランプの内部全体構成模式図
【図２】図２は本発明の中の旋転ブロックの一部分の拡大模式図
【図３】図３は本発明の図２の中のＡの局部拡大模式図
【図４】図４は本発明の中の水晶片の模式図
【発明を実施するための形態】
【００１１】
次にに図１−４を交えて本発明について詳しく説明する。便利に叙述するために、後文に出る方位を下記の通りに規定する：後文に出る上下左右前後方向は図１本体の投影関係の上下左右前後方向と一致する。
【００１２】
図１−４を参照し、本発明の観賞用ランプは、円柱体１０と円錐台１１とベース２２を含み、前記円柱体１０が前記ベース２２の頂端に固定的に設置され、前記円柱体１０の中には中部チャンバ２４が設置され、前記中部チャンバ２４の左右両側はいずれも開いたように設計されており、前記円錐台１１が前記円柱体１０の頂端に固定されており、前記円錐台１１の直径は前記円柱体１０の直径より小さく、前記円錐台１１の頂端には左右対称である二組の枝状支持ロッド１３が固定的に設置され、前記枝状支持ロッド１３が曲がった状態であり、前記円錐台１１の頂端には円柱ブロック１６が固定的に設置され、前記円柱ブロック１６の頂部端面にはスライドチャンバ２０が設置され、前記スライドチャンバ２０の中には花蕊機構７１が設置され、前記反射鏡機構７２は前記中部チャンバ２４の底壁に固定的に設置されている二組の固定ロッド２５を含み、前記固定ロッド２５が左右対称的に設置され、前記固定ロッド２５の頂端にはいずれも反射鏡２３がヒンジで連結され、二組の前記固定ロッド２５の間の前記中部チャンバ２４の中には上下に伸びているスクリュー軸３３が回転できるように設置され、前記スクリュー軸３３の頂部延伸部分が前記スライドチャンバ２０の中に伸びており、前記スクリュー軸３３の外周には第一ベベルギア３０が固定的に設置され、前記第一ベベルギア３０の頂部の前記スクリュー軸３３の外周には第一ねじ山ブロック３２がねじ山により係合連結され、前記第一ねじ山ブロック３２の左右両端が連動ロッド３１により前記反射鏡２３とヒンジで連結され、左側に位置している前記固定ロッド２５の片側端面には固定ブロック２７が固定的に設置され、前記固定ブロック２７の中には第一モータ２８が固定的に嵌められており、前記第一モータ２８の右端には第二ベベルギア２９が動力が伝達できるように連結され、前記第二ベベルギア２９と前記第一ベベルギア３０とが噛み合っており、前記スクリュー軸３３の中には上下に伸びて設置されている動力軸３４が隙間嵌めされており、前記動力軸３４の頂端の一部はスプライン軸に設計されており、前記動力軸３４の底端と前記ベース２２の中に固定的に嵌められている第二モータ２６とは動力が伝達できるように連結され、前記第一モータ２８を制御して間欠的に正方向と逆方向に回転させることにより、第二ベベルギア２９が第一ベベルギア３０を回転連動させ、それにより第一ねじ山ブロック３２が上下にスライドでき、それにより反射鏡２３が揺れ動き、ライトを反射する。
【００１３】
前記枝状支持ロッド１３にはいずれも木の股１４が固定的に設置され、前記枝状支持ロッド１３にはまた水晶リーフ１２が固定的に設置され、且つ前記木の股１４と前記水晶リーフ１２との色は異なり、前記枝状支持ロッド１３の一端にはランプ１５が固定的に設置され、前記中部チャンバ２４の中には灯光を反射できる反射鏡機構７２が設置され、前記ランプ１５により放たれたライトは前記反射鏡２３に射して反射を行う。
【００１４】
前記花蕊機構７１は前記スライドチャンバ２０の中にスライドできるように設置されている第二ねじ山ブロック３５を含み、前記第二ねじ山ブロック３５の頂端にはネジスリーブ３６が固定的に設置され、前記ネジスリーブ３６が円形であり、前記第二ねじ山ブロック３５と前記ネジスリーブ３６とはいずれも前記スクリュー軸３３とねじ山により係合連結され、前記ネジスリーブ３６の外周には滑り軸受３７が回転できるように設置され、前記動力軸３４が前記スクリュー軸３３を貫通しており、且つ前記動力軸３４の一番上には旋転ブロック１８が固定的に設置され、前記旋転ブロック１８の頂端には半球状装飾品４３が固定的に設置され、前記滑り軸受３７の頂端には回転盤４２が固定的に設置され、前記回転盤４２と前記動力軸３４とがスプラインにより係合連結され、前記滑り軸受３７の左右両側にはいずれも水晶片１７が設置され、二組の前記水晶片１７の間が空きチャンバ１９を形成し、前記旋転ブロック１８が前記空きチャンバ１９の中に設置されており、前記水晶片１７の底端にはいずれも曲りなり板４０が固定的に設置され、前記曲りなり板４０と前記滑り軸受３７とがヒンジで連結され、前記曲りなり板４０の中にはいずれもスライド溝３８が設置され、前記旋転ブロック１８の底端には左右対称である二組の固定板２１が固定的に設置され、前記固定板２１の前側端面にはいずれもヒンジピン３９が固定的に設置され、前記ヒンジピン３９が前記スライド溝３８の中に挿入されており、且つ前記スライド溝３８とスライドできるように連結され、前記第二モータ２６を制御して作動させることにより、前記動力軸３４が回転し、更に前記旋転ブロック１８が回転し、同時に前記動力軸３４が前記回転盤４２を回転連動させ、それにより前記滑り軸受３７が回転し、更に前記水晶片１７が回転することができ、同時に、前記第一モータ２８が間欠的に正方向と逆方向へ回転し、それにより前記スクリュー軸３３が間欠的に正方向と逆方向に回転し、更に前記第二ねじ山ブロック３５が上下にスライドでき、更に前記水晶片１７は間欠的に開閉されることができる。
【００１５】
初期状態の時、反射鏡２３が中部チャンバ２４の中に収納されており、同時に第二ねじ山ブロック３５が最大限で一番下に位置しており、水晶片１７を閉じた状態にさせる。
【００１６】
使用する時、まず第二モータ２６を制御して作動させ、それにより動力軸３４が回転し、更に動力軸３４が旋転ブロック１８を回転連動させ、旋転ブロック１８が固定板２１を回転連動させ、同時に回転盤４２と動力軸３４の頂部部分とはスプラインにより連結されているため、動力軸３４が回転盤４２を回転連動させ、それにより滑り軸受３７が回転し、更にそれにより水晶片１７が回転でき、この時に第一モータ２８の間欠的な正方向と逆方向への回転を制御することににより、第二ベベルギア２９が第一ベベルギア３０を間欠的に正方向と逆方向へ回転連動させ、それによりスクリュー軸３３が回転し、スクリュー軸３３が第一ねじ山ブロック３２とねじ山によって係合され、それにより第一ねじ山ブロック３２が上又は下へスライドでき、更にそれにより反射鏡２３が揺れ動け、この時にランプ１５をつけ、ランプ１５のライトが反射鏡２３に当たり、反射鏡２３によりライトが反射され、それによりライトがちらちらと光り、同時にライトが水晶リーフ１２と木の股１４とに反射されて美観性を向上させることができ、スクリュー軸３７が第二ねじ山ブロック３５とネジスリーブ３６とを連動させて間欠的に上下へスライドさせ、それにより滑り軸受３７が上下にスライドし、この時に水晶片１７は回転すると同時に間欠的に開けられ又は閉じられることができ、美観性を向上させる。
【００１７】
本発明の有益な効果は：伝統的な観賞用ランプと比べては、本発明の水晶片は回転すると同時に間欠的に開けられ又は閉じられることができ、反射鏡の揺れ動きにより、明かりがちらちらと光り、美観性を向上させることができ、且つ本装置の設計が巧妙であり、普及する価値がある。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
円柱体と円錐台とベースを含み、前記円柱体が前記ベースの頂端に固定的に設置され、前記円柱体の中には中部チャンバが設置され、前記中部チャンバの左右両側はいずれも開いたように設計されており、前記中部チャンバの中には反射鏡機構が設置され、前記円錐台が前記円柱体の頂端に固定されており、前記円錐台の直径は前記円柱体の直径より小さく、前記円錐台の頂端には左右対称である二組の枝状支持ロッドが固定的に設置され、前記枝状支持ロッドが曲がった状態であり、前記円錐台の頂端には円柱ブロックが固定的に設置され、前記円柱ブロックの頂部端面にはスライドチャンバが設置され、前記スライドチャンバの中には花蕊機構が設置され、前記反射鏡機構は前記中部チャンバの底壁に固定的に設置されている二組の固定ロッドを含み、前記固定ロッドが左右対称的に設置され、前記固定ロッドの頂端にはいずれも反射鏡がヒンジで連結され、二組の前記固定ロッドの間の前記中部チャンバの中には上下に伸びているスクリュー軸が回転できるように設置され、前記スクリュー軸の頂部延伸部分が前記スライドチャンバの中に伸びており、前記スクリュー軸の外周には第一ベベルギアが固定的に設置され、前記第一ベベルギアの頂部の前記スクリュー軸の外周には第一ねじ山ブロックがねじ山により係合連結され、前記第一ねじ山ブロックの左右両端が連動ロッドにより前記反射鏡とヒンジで連結され、左側に位置している前記固定ロッドの片側端面には固定ブロックが固定的に設置され、前記固定ブロックの中には第一モータが固定的に嵌められており、前記第一モータの右端には第二ベベルギアが動力が伝達できるように連結され、前記第二ベベルギアと前記第一ベベルギアとが噛み合っており、前記スクリュー軸の中には上下に伸びて設置されている動力軸が隙間嵌めされており、前記動力軸の頂端の一部はスプライン軸に設計されており、前記動力軸の底端と前記ベースの中に固定的に嵌められている第二モータとは動力が伝達できるように連結されており、
前記枝状支持ロッドにはいずれも木の股が固定的に設置され、前記枝状支持ロッドにはまた水晶リーフが固定的に設置され、且つ前記木の股と前記水晶リーフとの色は異なり、前記枝状支持ロッドの一端にはランプが固定的に設置され、前記中部チャンバの中には灯光を反射できる前記反射鏡機構が設置されており、
前記花蕊機構は前記スライドチャンバの中にスライドできるように設置されている第二ねじ山ブロックを含み、前記第二ねじ山ブロックの頂端にはネジスリーブが固定的に設置され、前記ネジスリーブが円形であり、前記第二ねじ山ブロックと前記ネジスリーブとはいずれも前記スクリュー軸とねじ山により係合連結され、前記ネジスリーブの外周には滑り軸受が回転できるように設置され、前記動力軸が前記スクリュー軸を貫通しており、且つ前記動力軸の一番上には旋転ブロックが固定的に設置され、前記旋転ブロックの頂端には半球状装飾品が固定的に設置され、前記滑り軸受の頂端には回転盤が固定的に設置され、前記回転盤と前記動力軸とがスプラインにより係合連結され、前記滑り軸受の左右両側にはいずれも水晶片が設置され、二組の前記水晶片の間が空きチャンバを形成し、前記旋転ブロックが前記空きチャンバの中に設置されており、前記水晶片の底端にはいずれも曲りなり板が固定的に設置され、前記曲りなり板と前記滑り軸受とがヒンジで連結され、前記曲りなり板の中にはいずれもスライド溝が設置され、前記旋転ブロックの底端には左右対称である二組の固定板が固定的に設置され、前記固定板の前側端面にはいずれもヒンジピンが固定的に設置され、前記ヒンジピンが前記スライド溝の中に挿入されており、且つ前記スライド溝とスライドできるように連結されていることを特徴とする観賞用ランプ。
【手続補正２】
【補正対象書類名】明細書
【補正対象項目名】全文
【補正方法】変更
【補正の内容】
【発明の詳細な説明】
【技術分野】
【０００１】
本発明は照明器具技術分野に関わり、具体的には観賞用ランプである。
【背景技術】
【０００２】
今、市販されている大部分の観賞用ランプは一つの光源で照明し、又は明かりの色を変えることによりランプの美観性を高めるのであり、しかしこのように伝統的な観賞用ランプの観賞価値はあまり高くなく、且つその構成が比較的に簡単且つ単一であり、観賞効果が良くないため、普及しづらい。
【先行技術文献】
【特許文献】
【０００３】
【特許文献１】中国特許出願公開第１０８７１６６１６号明細書
【発明の概要】
【発明が解決しようとする課題】
【０００４】
本発明は観賞用ランプを提供し、上記技術にある欠点を解消することを目的とする。
【課題を解決するための手段】
【０００５】
本発明の観賞用ランプは、円柱体と円錐台とベースを含み、前記円柱体が前記ベースの頂端に固定的に設置され、前記円柱体の中には中部チャンバが設置され、前記中部チャンバの左右両側はいずれも開いたように設計されており、前記中部チャンバの中には反射鏡機構が設置され、前記円錐台が前記円柱体の頂端に固定されており、前記円錐台の直径は前記円柱体の直径より小さく、前記円錐台の頂端には左右対称である二組の枝状支持ロッドが固定的に設置され、前記枝状支持ロッドが曲がった状態であり、前記円錐台の頂端には円柱ブロックが固定的に設置され、前記円柱ブロックの頂部端面にはスライドチャンバが設置され、前記スライドチャンバの中には花蕊機構が設置され、前記反射鏡機構は前記中部チャンバの底壁に固定的に設置されている二組の固定ロッドを含み、前記固定ロッドが左右対称的に設置され、前記固定ロッドの頂端にはいずれも反射鏡がヒンジで連結され、二組の前記固定ロッドの間の前記中部チャンバの中には上下に伸びているスクリュー軸が回転できるように設置され、前記スクリュー軸の頂部延伸部分が前記スライドチャンバの中に伸びており、前記スクリュー軸の外周には第一ベベルギアが固定的に設置され、前記第一ベベルギアの頂部の前記スクリュー軸の外周には第一ねじ山ブロックがねじ山により係合連結され、前記第一ねじ山ブロックの左右両端が連動ロッドにより前記反射鏡とヒンジで連結され、左側に位置している前記固定ロッドの片側端面には固定ブロックが固定的に設置され、前記固定ブロックの中には第一モータが固定的に嵌められており、前記第一モータの右端には第二ベベルギアが動力が伝達できるように連結され、前記第二ベベルギアと前記第一ベベルギアとが噛み合っており、前記スクリュー軸の中には上下に伸びて設置されている動力軸が隙間嵌めされており、前記動力軸の頂端の一部はスプライン軸に設計されており、前記動力軸の底端と前記ベースの中に固定的に嵌められている第二モータとは動力が伝達できるように連結されている。
【０００６】
さらなる技術プランには、前記枝状支持ロッドにはいずれも木の股が固定的に設置され、前記枝状支持ロッドにはまた水晶リーフが固定的に設置され、且つ前記木の股と前記水晶リーフとの色は異なり、前記枝状支持ロッドの一端にはランプが固定的に設置され、前記中部チャンバの中には灯光を反射できる前記反射鏡機構が設置されている。
【０００７】
さらなる技術プランには、前記花蕊機構は前記スライドチャンバの中にスライドできるように設置されている第二ねじ山ブロックを含み、前記第二ねじ山ブロックの頂端にはネジスリーブが固定的に設置され、前記ネジスリーブが円形であり、前記第二ねじ山ブロックと前記ネジスリーブとはいずれも前記スクリュー軸とねじ山により係合連結され、前記ネジスリーブの外周には滑り軸受が回転できるように設置され、前記動力軸が前記スクリュー軸を貫通しており、且つ前記動力軸の一番上には旋転ブロックが固定的に設置され、前記旋転ブロックの頂端には半球状装飾品が固定的に設置され、前記滑り軸受の頂端には回転盤が固定的に設置され、前記回転盤と前記動力軸とがスプラインにより係合連結され、前記滑り軸受の左右両側にはいずれも水晶片が設置され、二組の前記水晶片の間が空きチャンバを形成し、前記旋転ブロックが前記空きチャンバの中に設置されており、前記水晶片の底端にはいずれも曲りなり板が固定的に設置され、前記曲りなり板と前記滑り軸受とがヒンジで連結され、前記曲りなり板の中にはいずれもスライド溝が設置され、前記旋転ブロックの底端には左右対称である二組の固定板が固定的に設置され、前記固定板の前側端面にはいずれもヒンジピンが固定的に設置され、前記ヒンジピンが前記スライド溝の中に挿入されており、且つ前記スライド溝とスライドできるように連結されている。
【０００８】
初期状態の時、反射鏡が中部チャンバの中に収納されており、同時に第二ねじ山ブロックが最大限で一番下に位置しており、水晶片を閉じた状態にさせ、
使用する時、まず第二モータを制御して作動させ、それにより動力軸が回転し、更に動力軸が旋転ブロックを回転連動させ、旋転ブロックが固定板を回転連動させ、同時に回転盤と動力軸の頂部部分とはスプラインにより連結されているため、動力軸が回転盤を回転連動させ、それにより滑り軸受が回転し、更にそれにより水晶片が回転でき、この時に第一モータの間欠的な正方向と逆方向への回転を制御することににより、第二ベベルギアが第一ベベルギアを間欠的に正方向と逆方向へ回転連動させ、それによりスクリュー軸が回転し、スクリュー軸が第一ねじ山ブロックとねじ山によって係合され、それにより第一ねじ山ブロックが上又は下へスライドでき、更にそれにより反射鏡が揺れ動け、この時にランプをつけ、ランプのライトが反射鏡に当たり、反射鏡によりライトが反射され、それによりライトがちらちらと光り、同時にライトが水晶リーフと木の股とに反射されて美観性を向上させることができ、スクリュー軸が第二ねじ山ブロックとネジスリーブとを連動させて間欠的に上下へスライドさせ、それにより滑り軸受が上下にスライドし、この時に水晶片は回転すると同時に間欠的に開けられ又は閉じられることができ、美観性を向上させる。
【発明の効果】
【０００９】
本発明の有益な効果は：伝統的な観賞用ランプと比べては、本発明の水晶片は回転すると同時に間欠的に開けられ又は閉じられることができ、反射鏡の揺れ動きにより、明かりがちらちらと光り、美観性を向上させることができ、且つ本装置の設計が巧妙であり、普及する価値がある。
【図面の簡単な説明】
【００１０】
【図１】図１は本発明の観賞用ランプの内部全体構成模式図
【図２】図２は本発明の中の旋転ブロックの一部分の拡大模式図
【図３】図３は本発明の図２の中のＡの局部拡大模式図
【図４】図４は本発明の中の水晶片の模式図
【発明を実施するための形態】
【００１１】
次にに図１−４を交えて本発明について詳しく説明する。便利に叙述するために、後文に出る方位を下記の通りに規定する：後文に出る上下左右前後方向は図１本体の投影関係の上下左右前後方向と一致する。
【００１２】
図１−４を参照し、本発明の観賞用ランプは、円柱体１０と円錐台１１とベース２２を含み、前記円柱体１０が前記ベース２２の頂端に固定的に設置され、前記円柱体１０の中には中部チャンバ２４が設置され、前記中部チャンバ２４の左右両側はいずれも開いたように設計されており、前記中部チャンバ２４の中には反射鏡機構７２が設置され、前記円錐台１１が前記円柱体１０の頂端に固定されており、前記円錐台１１の直径は前記円柱体１０の直径より小さく、前記円錐台１１の頂端には左右対称である二組の枝状支持ロッド１３が固定的に設置され、前記枝状支持ロッド１３が曲がった状態であり、前記円錐台１１の頂端には円柱ブロック１６が固定的に設置され、前記円柱ブロック１６の頂部端面にはスライドチャンバ２０が設置され、前記スライドチャンバ２０の中には花蕊機構７１が設置され、前記反射鏡機構７２は前記中部チャンバ２４の底壁に固定的に設置されている二組の固定ロッド２５を含み、前記固定ロッド２５が左右対称的に設置され、前記固定ロッド２５の頂端にはいずれも反射鏡２３がヒンジで連結され、二組の前記固定ロッド２５の間の前記中部チャンバ２４の中には上下に伸びているスクリュー軸３３が回転できるように設置され、前記スクリュー軸３３の頂部延伸部分が前記スライドチャンバ２０の中に伸びており、前記スクリュー軸３３の外周には第一ベベルギア３０が固定的に設置され、前記第一ベベルギア３０の頂部の前記スクリュー軸３３の外周には第一ねじ山ブロック３２がねじ山により係合連結され、前記第一ねじ山ブロック３２の左右両端が連動ロッド３１により前記反射鏡２３とヒンジで連結され、左側に位置している前記固定ロッド２５の片側端面には固定ブロック２７が固定的に設置され、前記固定ブロック２７の中には第一モータ２８が固定的に嵌められており、前記第一モータ２８の右端には第二ベベルギア２９が動力が伝達できるように連結され、前記第二ベベルギア２９と前記第一ベベルギア３０とが噛み合っており、前記スクリュー軸３３の中には上下に伸びて設置されている動力軸３４が隙間嵌めされており、前記動力軸３４の頂端の一部はスプライン軸に設計されており、前記動力軸３４の底端と前記ベース２２の中に固定的に嵌められている第二モータ２６とは動力が伝達できるように連結され、前記第一モータ２８を制御して間欠的に正方向と逆方向に回転させることにより、第二ベベルギア２９が第一ベベルギア３０を回転連動させ、それにより第一ねじ山ブロック３２が上下にスライドでき、それにより反射鏡２３が揺れ動き、ライトを反射する。
【００１３】
前記枝状支持ロッド１３にはいずれも木の股１４が固定的に設置され、前記枝状支持ロッド１３にはまた水晶リーフ１２が固定的に設置され、且つ前記木の股１４と前記水晶リーフ１２との色は異なり、前記枝状支持ロッド１３の一端にはランプ１５が固定的に設置され、前記中部チャンバ２４の中には灯光を反射できる前記反射鏡機構７２が設置され、前記ランプ１５により放たれたライトは前記反射鏡２３に射して反射を行う。
【００１４】
前記花蕊機構７１は前記スライドチャンバ２０の中にスライドできるように設置されている第二ねじ山ブロック３５を含み、前記第二ねじ山ブロック３５の頂端にはネジスリーブ３６が固定的に設置され、前記ネジスリーブ３６が円形であり、前記第二ねじ山ブロック３５と前記ネジスリーブ３６とはいずれも前記スクリュー軸３３とねじ山により係合連結され、前記ネジスリーブ３６の外周には滑り軸受３７が回転できるように設置され、前記動力軸３４が前記スクリュー軸３３を貫通しており、且つ前記動力軸３４の一番上には旋転ブロック１８が固定的に設置され、前記旋転ブロック１８の頂端には半球状装飾品４３が固定的に設置され、前記滑り軸受３７の頂端には回転盤４２が固定的に設置され、前記回転盤４２と前記動力軸３４とがスプラインにより係合連結され、前記滑り軸受３７の左右両側にはいずれも水晶片１７が設置され、二組の前記水晶片１７の間が空きチャンバ１９を形成し、前記旋転ブロック１８が前記空きチャンバ１９の中に設置されており、前記水晶片１７の底端にはいずれも曲りなり板４０が固定的に設置され、前記曲りなり板４０と前記滑り軸受３７とがヒンジで連結され、前記曲りなり板４０の中にはいずれもスライド溝３８が設置され、前記旋転ブロック１８の底端には左右対称である二組の固定板２１が固定的に設置され、前記固定板２１の前側端面にはいずれもヒンジピン３９が固定的に設置され、前記ヒンジピン３９が前記スライド溝３８の中に挿入されており、且つ前記スライド溝３８とスライドできるように連結され、前記第二モータ２６を制御して作動させることにより、前記動力軸３４が回転し、更に前記旋転ブロック１８が回転し、同時に前記動力軸３４が前記回転盤４２を回転連動させ、それにより前記滑り軸受３７が回転し、更に前記水晶片１７が回転することができ、同時に、前記第一モータ２８が間欠的に正方向と逆方向へ回転し、それにより前記スクリュー軸３３が間欠的に正方向と逆方向に回転し、更に前記第二ねじ山ブロック３５が上下にスライドでき、更に前記水晶片１７は間欠的に開閉されることができる。
【００１５】
初期状態の時、反射鏡２３が中部チャンバ２４の中に収納されており、同時に第二ねじ山ブロック３５が最大限で一番下に位置しており、水晶片１７を閉じた状態にさせる。
【００１６】
使用する時、まず第二モータ２６を制御して作動させ、それにより動力軸３４が回転し、更に動力軸３４が旋転ブロック１８を回転連動させ、旋転ブロック１８が固定板２１を回転連動させ、同時に回転盤４２と動力軸３４の頂部部分とはスプラインにより連結されているため、動力軸３４が回転盤４２を回転連動させ、それにより滑り軸受３７が回転し、更にそれにより水晶片１７が回転でき、この時に第一モータ２８の間欠的な正方向と逆方向への回転を制御することににより、第二ベベルギア２９が第一ベベルギア３０を間欠的に正方向と逆方向へ回転連動させ、それによりスクリュー軸３３が回転し、スクリュー軸３３が第一ねじ山ブロック３２とねじ山によって係合され、それにより第一ねじ山ブロック３２が上又は下へスライドでき、更にそれにより反射鏡２３が揺れ動け、この時にランプ１５をつけ、ランプ１５のライトが反射鏡２３に当たり、反射鏡２３によりライトが反射され、それによりライトがちらちらと光り、同時にライトが水晶リーフ１２と木の股１４とに反射されて美観性を向上させることができ、スクリュー軸３７が第二ねじ山ブロック３５とネジスリーブ３６とを連動させて間欠的に上下へスライドさせ、それにより滑り軸受３７が上下にスライドし、この時に水晶片１７は回転すると同時に間欠的に開けられ又は閉じられることができ、美観性を向上させる。
【００１７】
本発明の有益な効果は：伝統的な観賞用ランプと比べては、本発明の水晶片は回転すると同時に間欠的に開けられ又は閉じられることができ、反射鏡の揺れ動きにより、明かりがちらちらと光り、美観性を向上させることができ、且つ本装置の設計が巧妙であり、普及する価値がある。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。